(57)【要約】【課題】携帯端末内の各種データを一旦パーソナルコンピュータへ転送することなく、外部機器を利用して簡単な操作で容易にデータを再生することができる携帯端末を提供する。【解決手段】充電台２に置くだけで、電灯線３に接続されていて電灯線通信が可能な全ての機器（スピーカ４Ａ、テレビ４Ｂ、ハードディスクレコーダ４Ｃ、パーソナルコンピュータ４Ｄ）を検知し、それらの機器４Ａ〜４Ｄを携帯端末の表示部１０に表示し、さらに、選択された１つの機器に関連付けられたデータタイプのデータを該機器に転送したり、再生させたりする。これにより、外部機器を利用して簡単な操作で容易にデータを再生することができる。【選択図】図２
2009044531.tif 000002
【特許請求の範囲】
【請求項１】
電灯線から電力が供給される充電手段と、
前記電灯線から前記充電手段に電力が供給されていることを検知する電力供給検知手段と、
前記電力供給検知手段による検知結果に応じて前記電灯線に接続される電灯線通信手段と、
前記電灯線通信手段の出力に基づき前記電灯線に接続されている複数の機器を検知する機器検知手段と、
前記機器検知手段で検知された前記複数の機器のうち、１つの機器を使用者が選択するためのメニュー画面を表示する表示手段と、
を備えた携帯端末。
【請求項２】
前記表示手段に表示されている前記メニュー画面から、使用者操作により前記複数の機器のうち、１つの機器と接続すべく当該機器を選択する機器選択手段と、
前記電灯線に接続されている複数の機器で活用可能なデータタイプが異なるデータを記憶する記憶手段と、
前記機器選択手段で選択された前記１つの機器と前記記憶手段に記憶されたデータのデータタイプを関連付けるデータタイプ関連付け手段と、
を備え、
前記表示手段は、前記データタイプ関連付け手段で関連付けられた前記データタイプのデータのうち、１つのデータを使用者が選択するためのメニュー画面を表示する請求項１に記載の携帯端末。
【請求項３】
前記電灯線に接続されている複数の機器は、スピーカ、テレビ、ハードディスクレコーダ及びパーソナルコンピュータを含む請求項１又は２に記載の携帯端末。
【請求項４】
前記データタイプは、電話帳、静止画、動画、音声、録音メッセージ及びボイスレコーダを含む請求項２又は３に記載の携帯端末。
【発明の詳細な説明】
【技術分野】
【０００１】
本発明は、電灯線から充電用の電力を得る携帯端末に関する。
【背景技術】
【０００２】
従来、携帯端末から音声信号を出力すると共に、充電用の電力を供給する充電台で携帯端末から出力された音声信号を取り込んで増幅し、スピーカから出力する技術が提案されている。特許文献１には、内蔵又は外付けの記録媒体に記録された音声信号を外部へ出力する出力部を有する携帯端末と、この携帯端末に充電用の電力を供給する充電部及び該携帯端末から出力された音声信号を取り込む入力部を有する充電台が開示されている。
【０００３】
【特許文献１】特開２００２−２６１８９３号公報
【発明の開示】
【発明が解決しようとする課題】
【０００４】
ところで、上述した従来技術では、携帯端末に内蔵又は外付けの記録媒体に記録された音声信号を充電台で増幅してスピーカから出力させるだけであり、携帯端末を充電台にセットすることで携帯端末内の音声信号を外部スピーカで再生する準備はできるものの、充電台にセットした後の複雑な操作が必要であることが想定される。また、昨今は携帯端末が多機能化し、携帯端末にはカメラで撮影して得られた画像データやメールにより受信した画像データ、インターネットからダウンロードした音楽データ、テレビ放送の動画データなどが保存されるようになってきたが、携帯端末に保存されている著作権フリーの静止画データ、動画データ、音楽データなどは、一旦パーソナルコンピュータへデータ転送を行えばパーソナルコンピュータ上で再生することができるものの、各データに対応したアプリケーションを立ち上げて再生する必要があり、携帯端末内に保存されているデータをパーソナルコンピュータで再生するには複雑な操作が必要であった。さらに、携帯型デジタルオーディオプレーヤに対応したスピーカシステムも存在するが、音楽データのみが保存されているプレーヤに対して、音楽データを再生するスピーカシステムが存在するだけであり、あくまでも１対１の関係である。多機能化した携帯端末においては、さまざまな種類のデータが保存されているが、使用者はそれらを外部機器を利用して再生したくても上述のように一旦パーソナルコンピュータへデータ転送を行うなど複雑な操作が必要であった。
【０００５】
本発明は、係る事情に鑑みてなされたものであり、携帯端末内の各種データを一旦パーソナルコンピュータへ転送することなく、外部機器を利用して簡単な操作で容易にデータを再生することができる携帯端末を提供することを目的とする。
【課題を解決するための手段】
【０００６】
本発明の携帯端末は、電灯線から電力が供給される充電手段と、前記電灯線から前記充電手段に電力が供給されていることを検知する電力供給検知手段と、前記電力供給検知手段による検知結果に応じて前記電灯線に接続される電灯線通信手段と、前記電灯線通信手段の出力に基づき前記電灯線に接続されている複数の機器を検知する機器検知手段と、前記機器検知手段で検知された前記複数の機器のうち、１つの機器を使用者が選択するためのメニュー画面を表示する表示手段と、を備えた。
【０００７】
この構成により、携帯端末の充電開始時に、電灯線に接続されている全ての機器が検知されて、そのうちの１つを選択するためのメニュー画面が表示手段に表示される。このメニュー画面にて、電灯線に接続されている電灯線通信可能な全ての機器を確認することができる。
【０００８】
また、上記構成において、前記表示手段に表示されている前記メニュー画面から、使用者操作により前記複数の機器のうち、１つの機器と接続すべく当該機器を選択する機器選択手段と、前記電灯線に接続されている複数の機器で活用可能なデータタイプが異なるデータを記憶する記憶手段と、前記機器選択手段で選択された前記１つの機器と前記記憶手段に記憶されたデータのデータタイプを関連付けるデータタイプ関連付け手段とを備え、前記表示手段は、前記データタイプ関連付け手段で関連付けられた前記データタイプのデータのうち、１つのデータを使用者が選択するためのメニュー画面を表示する。
【０００９】
この構成により、電灯線に接続されている電灯線通信可能な全ての機器のうち、１つの機器を選択するためのメニュー画面から、使用者が任意の１つの機器を選択することができ、また、使用者が任意に１つの機器を選択した後、該機器に関連付けられたデータタイプのデータを選択するためのメニュー画面から、使用者が任意のデータタイプのデータを１つ選択することができる。選択した機器に関連付けられたデータタイプのデータを選択することで、当該機器を動作させることができる。
【００１０】
また、上記構成において、前記電灯線に接続されている複数の機器は、スピーカ、テレビ、ハードディスクレコーダ及びパーソナルコンピュータを含む。
【００１１】
また、上記構成において、前記データタイプは、電話帳、静止画、動画、音声、録音メッセージ及びボイスレコーダを含む。スピーカに関連付けられたデータタイプは、音楽、録音メッセージ、ボイスレコーダである。また、テレビに関連付けられたデータタイプは、静止画、動画である。また、ハードディスクレコーダに関連付けられたデータタイプは、電話帳、静止画、動画、音楽、録音メッセージ、ボイスレコーダである。また、パーソナルコンピュータに関連付けられたデータタイプは、電話帳、静止画、動画、音楽、録音メッセージ、ボイスレコーダである。
【発明の効果】
【００１２】
本発明は、携帯端末を充電台に置いて充電するという日常的な動作を行うだけで、電灯線に接続されていて電灯線通信が可能な全ての機器（スピーカ、テレビ、ハードディスクレコーダ、パーソナルコンピュータ等）を検知して、それらのうち１つを選択するためのメニュー画面を携帯端末の画面に表示し、さらに選択された機器に関連付けられたデータタイプのデータを一旦パーソナルコンピュータへ転送することなく該機器に直接転送して、簡単な操作で容易にデータを再生することができる。
【発明を実施するための最良の形態】
【００１３】
以下、本発明を実施するための好適な実施の形態について、図面を参照して詳細に説明する。
【００１４】
図１は、本発明の一実施の形態に係る携帯端末と、電灯線からの電力を携帯端末に与えるための充電台と、電灯線に接続されている複数の機器を示す斜視図である。また、図２は図１の携帯端末の概略構成と、電灯線からの電力を携帯端末に与えるための充電台の概略構成と、電灯線に接続されている複数の機器を示すブロック図である。また、図３は図１の携帯端末の正面図である。
【００１５】
図１において、携帯端末１は充電台２に置かれて充電されている状態にある。充電台２は電灯線３に接続されて、電灯線３から電力から供給されている。充電台２にはコネクタ（図示せず）が設けられており、このコネクタを介して携帯端末１と電気的に接続される。電灯線３には、電灯線通信が可能な４台の機器、即ちスピーカ４Ａ、テレビ４Ｂ、ハードディスクレコーダ４Ｃ、パーソナルコンピュータ４Ｄがそれぞれ接続されている。携帯端末１を充電台２に置くことで、充電が開始されると共に、携帯端末１の表示部に各機器（スピーカ４Ａ、テレビ４Ｂ、ハードディスクレコーダ４Ｃ、パーソナルコンピュータ４Ｄ）の名称が表示される。具体的には、携帯端末１の表示部には、「スピーカ」、「テレビ」、「ＨＤレコーダ」、「ＰＣ」と表示される（図３参照）。
【００１６】
図２において、携帯端末１は、表示部１０、入力部１１、充電部１２、記憶部１３、画像再生部１４、音声再生部１５、ＰＬＣ（Power Line Communications：電灯線通信）アダプタ１６及び制御部１７を備えている。なお、図２に示す構成は、本発明を説明するために簡略化したものであり、図示は省略するが、通常の携帯端末に搭載される構成要素は備えているものとする。
【００１７】
表示部１０は、制御部１７から入力される表示情報に基づく表示を行う。例えば、携帯端末１が充電台２に置かれたときに、制御部１７から機器選択メニュー画面（メニュー画面）を表示するための表示情報が入力されるので、この表示情報に基づく機器選択メニュー画面を表示する。入力部１１は、使用者が携帯端末１を使用するための操作を行うものであり、使用者操作に応じた信号を制御部１７に入力する。例えば、表示部１０に表示された機器選択メニュー画面から「スピーカ」を選択する操作が行われた場合は、「スピーカ」を選択する信号を制御部１７に入力する。また、「テレビ」を選択する操作が行われた場合は、「テレビ」を選択する信号を制御部１７に入力する。また、「ハードディスクレコーダ」を選択する操作が行われた場合は、「ハードディスクレコーダ」を選択する信号を制御部１７に入力する。また、「パーソナルコンピュータ」を選択する操作が行われた場合は、「パーソナルコンピュータ」を選択する信号を制御部１７に入力する。
【００１８】
充電部１２は、充電台２を介して電灯線３から供給される電力で携帯端末１内の充電用電池（図示略）の充電を行う。また、充電部１２は、電灯線３から電力が供給されていることを検知する電力供給検知機能を有しており、電力供給の有無を制御部１７に通知する。即ち、携帯端末１が充電台２に置かれて電灯線３から電力が供給されると、電力供給を検知したことを制御部１７に通知する。
【００１９】
記憶部１３は、データの書き込み及び読み出し可能なメモリを有し、電灯線３上の各機器を検知するためのデバイス検知プログラム、機器とデータタイプを関連付ける関連付けプログラム、電話帳データ、静止画（写真）データ、動画データ、音楽データ、音声データ等を記憶する。画像再生部１４は、静止画データや動画データから静止画や動画を再生する。音声再生部１５は、音楽データから音楽を再生し、音声データから音声を再生する。機器とデータタイプの関連付けは、図４に示すように、スピーカの場合は、音楽、録音メッセージ及びボイスレコーダであり、いずれにおいても「再生」となる。また、テレビの場合は、静止画及び動画であり、いずれにおいても「再生」となる。また、ハードディスクレコーダの場合は、電話帳、静止画、動画、音楽、録音メッセージ及びボイスレコーダであり、いずれにおいても「データ転送」となる。また、ＰＣの場合は、電話帳、静止画、動画、音楽、録音メッセージ及びボイスレコーダであり、いずれにおいても「データ転送」となる。
【００２０】
ＰＬＣアダプタ１６は、電灯線３を通信回線として利用可能とするものであり、電灯線３上の各機器（スピーカ４Ａ、テレビ４Ｂ、ハードディスクレコーダ４Ｃ、パーソナルコンピュータ４Ｄ）との間で数Ｍｂｐｓ〜数百Ｍｂｐｓのデータ通信が可能となる（図１参照）。
【００２１】
制御部１７は、ＣＰＵ（Central Processing Unit）を含むものであり、装置各部を制御する。例えば、制御部１７は、記憶部１３に格納されたデバイス検知プログラムに従って電灯線３に接続された各機器４Ａ〜４Ｄを検知する。また、制御部１７は、記憶部１３に格納された関連付けプログラムに従って各機器４Ａ〜４Ｄとデータタイプを関連付ける。また、制御部１７は、充電部１２からの電力供給検知結果に基づいて携帯端末１が充電台２に置かれたかどうかを判断する。携帯端末１が充電台２に置かれた場合は、ＰＬＣアダプタ１６を制御して電灯線３に接続させる。ＰＬＣアダプタ１６を電灯線３に接続させた後は、ＰＬＣアダプタ１６の出力に基づき電灯線３に接続されている機器を検知する。そして、複数の機器を検知した場合、そのうちの１つを使用者が選択するための機器選択メニュー画面を表示部１０に表示するための表示情報を生成し表示部１０に入力する。そして、使用者が複数の機器のうち１つを選択した場合、選択された機器に関連付けられたデータタイプ選択メニュー画面を表示部１０に表示するための表示情報を生成し表示部１０に入力する。その後、使用者がデータタイプを選択した場合、データ転送又は再生制御を行う。
【００２２】
各機器４Ａ〜４Ｄは、携帯端末１と電灯線通信を行うためのＰＬＣアダプタ４０をそれぞれ有しており、このＰＬＣアダプタ４０を介して携帯端末１に機器情報等を送信する。機器情報には、機器そのものを示す情報の他に、機器が有する機能を示す情報が含まれる。
【００２３】
なお、充電部１２は充電手段及び電力供給検知手段に対応する。また、ＰＬＣアダプタ１６は電灯線通信手段に対応する。また、制御部１７は機器検知手段及びデータタイプ関連付け手段に対応する。また、表示部１０は表示手段に対応する。また、入力部１１は機器選択手段に対応する。また、記憶部１３は記憶手段に対応する。
【００２４】
次に、本実施の形態の携帯端末１の機器制御処理について説明する。なお、電灯線３には、電灯線通信を行える複数の機器が接続されているものとする。
【００２５】
図５は、機器制御処理の概要を示すフロー図である。同図において、まず携帯端末１が充電台２に置かれたかどうか判定する（ステップＳＴ１０）。携帯端末１が充電台２に置かれていない場合は、置かれるまでこの判定を繰り返し行い、充電台２に置かれた場合は充電を開始する（ステップＳＴ１１）。次いで、電灯線通信を開始し、電灯線３に接続されていて電灯線通信が可能な全ての機器を検知する（ステップＳＴ１２）。次いで、検知した複数の機器のうち、１つを選択するための機器選択メニュー画面を表示する（ステップＳＴ１３）。
【００２６】
機器選択メニュー画面を表示した後、携帯端末１が充電台２から外されたかどうか判定し（ステップＳＴ１４）、外された場合は充電を終了し（ステップＳＴ２４）、本処理を終える。これに対して、携帯端末１が充電台２から外されていない場合は、機器選択メニュー画面において機器が選択されたかどうか判定する（ステップＳＴ１５）。機器が選択されていない場合は、機器が選択されるまでこの判定を繰り返し、機器が選択された場合は、選択された機器に関連付けられたデータタイプ選択メニュー画面を表示する（ステップＳＴ１６）。
【００２７】
データタイプ選択メニュー画面を表示した後、再び携帯端末１が充電台２から外されたかどうか判定し（ステップＳＴ１７）、外された場合は充電を終了し（ステップＳＴ２４）、本処理を終える。これに対して、携帯端末１が充電台２から外されていない場合は、データタイプ選択メニュー画面においてデータタイプが選択されたかどうか判定する（ステップＳＴ１８）。データタイプが選択されていない場合は、データタイプが選択されるまでこの判定を繰り返す。データタイプが選択された場合は、再び携帯端末１が充電台２から外されたかどうか判定し（ステップＳＴ１９）、外された場合は充電を終了し（ステップＳＴ２４）、本処理を終える。これに対して、携帯端末１が充電台２から外されていない場合は、選択された機器にデータを転送又は再生する（ステップＳＴ２０）。
【００２８】
選択された機器に対してデータを転送又は再生した後、再び携帯端末１が充電台２から外されたかどうか判定し（ステップＳＴ２１）、外された場合はデータ転送・再生を強制終了し（ステップＳＴ２５）、その後、充電を終了し（ステップＳＴ２４）、本処理を終える。これに対して、携帯端末１が充電台２から外されていない場合は、データ転送・再生を完了する（ステップＳＴ２２）。その後、ＯＦＦキーが押されたかどうか判定し（ステップＳＴ２３）、ＯＦＦキーが押されていない場合は、ステップＳＴ１３に戻り、機器選択メニュー画面を表示する。ＯＦＦキーが押された場合は、充電を終了し（ステップＳＴ２４）、本処理を終える。
【００２９】
次に、機器制御処理の具体例について、スピーカ４Ａを選択して音楽を再生する場合と、パーソナルコンピュータ４Ｄを選択して電話帳データを転送する場合と、テレビ４Ｂを選択して動画を再生する場合を例に挙げて説明する。
【００３０】
（スピーカ４Ａを選択して音楽を再生する場合）
図６はスピーカ４Ａを選択して音楽を再生する場合の機器制御処理を示すフロー図、図７はスピーカ４Ａを選択して音楽を再生する場合の表示の遷移を示す図である。
【００３１】
図６において、まず携帯端末１が充電台２に置かれたかどうか判定する（ステップＳＴ３０）。携帯端末１が充電台２に置かれていない場合は、置かれるまでこの判定を繰り返し行い、充電台２に置かれた場合は充電を開始する（ステップＳＴ３１）。携帯端末１が充電台２に置かれる前の携帯端末１の画面は、図７（ａ）のように待ち受け画面になっている。
【００３２】
携帯端末１が充電台２に置かれることで電灯線通信を開始し、電灯線３に接続されていて電灯線通信が可能な全ての機器（スピーカ４Ａ、テレビ４Ｂ、ハードディスクレコーダ４Ｃ、パーソナルコンピュータ４Ｄ）を検知する（ステップＳＴ３２）。次いで、検知した複数の機器４Ａ〜４Ｄのうち、１つの機器を選択するための機器選択メニュー画面（図７（ｂ））を表示する（ステップＳＴ３３）。
【００３３】
機器選択メニュー画面を表示した後、携帯端末１が充電台２から外されたかどうか判定し（ステップＳＴ３４）、外された場合は充電を終了し（ステップＳＴ４６）、本処理を終える。これに対して、携帯端末１が充電台２から外されていない場合は、機器選択メニュー画面においてスピーカ４Ａが選択されたかどうか判定する（ステップＳＴ３５）。スピーカ４Ａが選択されていない場合は、機器選択メニュー画面表示処理に戻る。スピーカ４Ａが選択された場合（図７（ｃ））は、スピーカ４Ａに関連付けられたデータタイプ（音楽再生、録音メッセージ再生、ボイスレコーダ再生）選択メニュー画面（図７（ｄ））を表示する（ステップＳＴ３６）。
【００３４】
データタイプ選択メニュー画面を表示した後、再び携帯端末１が充電台２から外されたかどうか判定し（ステップＳＴ３７）、外された場合は充電を終了し（ステップＳＴ４６）、本処理を終える。これに対して、携帯端末１が充電台２から外されていない場合は音楽再生（データタイプ）（図７（ｅ））が選択されたかどうか判定する（ステップＳＴ３８）。音楽再生が選択されていない場合は、音楽再生が選択されるまでこの判定を繰り返す。音楽再生が選択された場合は、楽曲タイトルリスト（図７（ｆ））を表示する（ステップＳＴ３９）。その後、再び携帯端末１が充電台２から外されたかどうか判定し（ステップＳＴ４０）、外された場合は充電を終了し（ステップＳＴ４６）、本処理を終える。これに対して、携帯端末１が充電台２から外されていない場合は、楽曲タイトルリストから楽曲が選択されたかどうか判定する（ステップＳＴ４１）。楽曲が選択されていない場合は、楽曲が選択されるまでこの判定を繰り返す。楽曲が選択された場合（図７（ｇ））は、スピーカ４Ａで楽曲データを再生する（ステップＳＴ４２、図７（ｈ））。
【００３５】
スピーカ４Ａで楽曲データを再生する処理を行った後、再び携帯端末１が充電台２から外されたかどうか判定し（ステップＳＴ４３）、外された場合は楽曲の再生を強制的に終了させる（ステップＳＴ４７）。その後、充電を終了し（ステップＳＴ４６）、本処理を終える。これに対して、携帯端末１が充電台２から外されていない場合は、再生完了するまで、継続してスピーカ４Ａで楽曲データを再生する（ステップＳＴ４４）。その後、ＯＦＦキーが押されたかどうか判定し（ステップＳＴ４５）、ＯＦＦキーが押されていない場合は、ステップＳＴ３９に戻り、楽曲タイトルリストを表示する。ＯＦＦキーが押された場合は、充電を終了し（ステップＳＴ４６）、本処理を終える。なお、ここでは楽曲データ再生のフローについてのみ説明したが、一般のオーディオ機器のように、楽曲データの巻戻し、早送り、頭出しや、スピーカの音量調節等を行えるようにしてもよい。
【００３６】
（パーソナルコンピュータ４Ｄを選択して電話帳データを転送する場合）
図８はパーソナルコンピュータ４Ｄを選択して電話帳データを転送する場合の機器制御処理を示すフロー図、図９はパーソナルコンピュータ４Ｄを選択して電話帳データを転送する場合の表示の遷移を示す図である。
【００３７】
図８において、まず携帯端末１が充電台２に置かれたかどうか判定する（ステップＳＴ５０）。携帯端末１が充電台２に置かれていない場合は、置かれるまでこの判定を繰り返し行い、充電台２に置かれた場合は充電を開始する（ステップＳＴ５１）。携帯端末１が充電台２に置かれる前の携帯端末１の画面は、図９（ａ）のように待ち受け画面になっている。
【００３８】
携帯端末１が充電台２に置かれることで電灯線通信を開始し、電灯線３に接続されていて電灯線通信が可能な全ての機器（スピーカ４Ａ、テレビ４Ｂ、ハードディスクレコーダ４Ｃ、パーソナルコンピュータ４Ｄ）を検知する（ステップＳＴ５２）。次いで、検知した複数の機器４Ａ〜４Ｄのうち、１つの機器を選択するための機器選択メニュー画面（図９（ｂ））を表示する（ステップＳＴ５３）。
【００３９】
機器選択メニュー画面を表示した後、携帯端末１が充電台２から外されたかどうか判定し（ステップＳＴ５４）、外された場合は充電を終了し（ステップＳＴ６６）、本処理を終える。これに対して、携帯端末１が充電台２から外されていない場合は、機器選択メニュー画面でパーソナルコンピュータ４Ｄが選択されたかどうか判定する（ステップＳＴ５５）。パーソナルコンピュータ４Ｄが選択されていない場合は、機器選択メニュー画面表示処理に戻る。パーソナルコンピュータ４Ｄが選択された場合（図９（ｃ））は、パーソナルコンピュータ４Ｄで編集、再生可能なデータタイプ（電話帳、音楽、画像、動画）選択メニュー画面（図９（ｄ））を表示する（ステップＳＴ５６）。
【００４０】
データタイプ選択メニュー画面を表示した後、再び携帯端末１が充電台２から外されたかどうか判定し（ステップＳＴ５７）、外された場合は充電を終了し（ステップＳＴ６６）、本処理を終える。これに対して、携帯端末１が充電台２から外されていない場合は電話帳（図９（ｅ））が選択されたかどうか判定する（ステップＳＴ５８）。電話帳が選択されていない場合は、電話帳が選択されるまでこの判定を繰り返す。電話帳が選択された場合は、データの転送方向選択画面（図９（ｆ））を表示する（ステップＳＴ５９）。その後、再び携帯端末１が充電台２から外されたかどうか判定し（ステップＳＴ６０）、外された場合は充電を終了し（ステップＳＴ６６）、本処理を終える。これに対して、携帯端末１が充電台２から外されていない場合は、電話帳データの転送方向が選択されたかどうか判定する（ステップＳＴ６１）。電話帳データの転送方向が選択されていない場合は、電話帳データの転送方向が選択されるまでこの判定を繰り返す。電話帳データの転送方向が選択された場合（図９（ｇ））は、パーソナルコンピュータ４Ｄに電話帳データを転送する（ステップＳＴ６２、図９（ｈ））。
【００４１】
パーソナルコンピュータ４Ｄに電話帳データを転送した後、再び携帯端末１が充電台２から外されたかどうか判定し（ステップＳＴ６３）、外された場合はデータ転送を強制的に終了させる（ステップＳＴ６７）。その後、充電を終了し（ステップＳＴ６６）、本処理を終える。これに対して、携帯端末１が充電台２から外されていない場合は、データ転送が完了するまで、継続して電話帳データの転送を行う（ステップＳＴ６４）。その後、ＯＦＦキーが押されたかどうか判定し（ステップＳＴ６５）、ＯＦＦキーが押されていない場合は、ステップＳＴ５６に戻り、データタイプ選択メニュー画面を表示する。ＯＦＦキーが押された場合は、充電を終了し（ステップＳＴ６６）、本処理を終える。
【００４２】
（テレビ４Ｂを選択して動画を再生する場合）
図１０はテレビ４Ｂを選択して動画を再生する場合の機器制御処理を示すフロー図、図１１はテレビ４Ｂを選択して動画を再生する場合の表示の遷移を示す図である。
【００４３】
図１０において、まず携帯端末１が充電台２に置かれたかどうか判定する（ステップＳＴ７０）。携帯端末１が充電台２に置かれていない場合は、置かれるまでこの判定を繰り返し行い、充電台２に置かれた場合は充電を開始する（ステップＳＴ７１）。携帯端末１が充電台２に置かれる前の携帯端末１の画面は、図１１（ａ）のように待ち受け画面になっている。
【００４４】
携帯端末１が充電台２に置かれることで電灯線通信を開始し、電灯線３に接続されていて電灯線通信が可能な全ての機器（スピーカ４Ａ、テレビ４Ｂ、ハードディスクレコーダ４Ｃ、パーソナルコンピュータ４Ｄ）を検知する（ステップＳＴ７２）。次いで、検知した複数の機器４Ａ〜４Ｄのうち、１つの機器を選択するための機器選択メニュー画面（図１１（ｂ））を表示する（ステップＳＴ７３）。
【００４５】
機器選択メニュー画面を表示した後、携帯端末１が充電台２から外されたかどうか判定し（ステップＳＴ７４）、外された場合は充電を終了し（ステップＳＴ８９）、本処理を終える。これに対して、携帯端末１が充電台２から外されていない場合は、機器選択メニュー画面においてテレビ４Ｂが選択されたかどうか判定する（ステップＳＴ７５）。テレビ４Ｂが選択されていない場合は、機器選択メニュー画面表示処理に戻り、テレビ４Ｂが選択された場合（図１１（ｃ））は、テレビ４Ｂに関連付けられたデータタイプ（静止画データ、動画データ）選択メニュー画面（図１１（ｄ））を表示する（ステップＳＴ７６）。
【００４６】
データタイプ選択メニュー画面を表示した後、再び携帯端末１が充電台２から外されたかどうか判定し（ステップＳＴ７７）、外された場合は充電を終了し（ステップＳＴ８９）、本処理を終える。これに対して、携帯端末１が充電台２から外されていない場合は、動画再生（データタイプ）（図１１（ｅ））が選択されたかどうか判定する（ステップＳＴ７８）。動画再生が選択されていない場合は、動画再生が選択されるまでこの判定を繰り返す。動画再生が選択された場合は、テレビ４Ｂを使用中かどうか判定する（ステップＳＴ７９）。この判定において、テレビ４Ｂを使用中であれば、テレビ放送を中断するダイアログを表示する（ステップＳＴ８０、図１１（ｆ））。そして、中断するかどうかを使用者の操作に基づいて判定し（ステップＳＴ８１）、テレビ放送を中断しない場合はステップＳＴ７３に戻り、機器選択メニュー画面を表示する。テレビ放送を中断する場合は動画タイトルリストを表示する（ステップＳＴ８２、図１１（ｇ））。
【００４７】
一方、ステップＳＴ７９の判定において、テレビ４Ｂを使用中でなければ、そのまま動画タイトルリストを表示する（ステップＳＴ８２、図１１（ｇ））。その後、再び携帯端末１が充電台２から外されたかどうか判定し（ステップＳＴ８３）、外された場合は充電を終了し（ステップＳＴ８９）、本処理を終える。これに対して、携帯端末１が充電台２から外されていない場合は、動画タイトルリストから動画が選択されたかどうかどうか判定する（ステップＳＴ８４）。動画タイトルリストから動画が選択されていない場合は、選択されるまでこの判定を繰り返す。動画タイトルリストから動画が選択された場合（図１１（ｈ））は、テレビ４Ｂで動画データを再生させる（ステップＳＴ８５、図１１（ｉ））。この場合、携帯端末１はワンセグ方式に対応しているので、８セグメント方式に変換する。このとき必要となる変換用プログラムは記憶部１３に記憶されている。
【００４８】
テレビ４Ｂで動画データの再生を開始させた後、再び携帯端末１が充電台２から外されたかどうか判定し（ステップＳＴ８６）、外された場合は動画データの再生を強制的に終了させる（ステップＳＴ９０）、その後、充電を終了し（ステップＳＴ８９）、本処理を終える。これに対して、携帯端末１が充電台２から外されていない場合は、動画データの再生が完了するまで、継続して動画データの再生を行う（ステップＳＴ８７）。その後、ＯＦＦキーが押されたかどうか判定し（ステップＳＴ８８）、ＯＦＦキーが押されていない場合は、ステップＳＴ８２に戻り、動画タイトルリストを表示する。ＯＦＦキーが押された場合は、充電を終了し（ステップＳＴ８９）、本処理を終える。なお、ここでは動画データ再生のフローについてのみ説明したが、一般のＡＶ機器のように、動画データの巻戻し、早送り、頭出しや、画質・音量調節等を行えるようにしてもよい。
【００４９】
このように、本実施の形態に係る携帯端末１によれば、充電台２に置くだけで、電灯線３に接続されていて電灯線通信が可能な全ての機器（スピーカ４Ａ、テレビ４Ｂ、ハードディスクレコーダ４Ｃ、パーソナルコンピュータ４Ｄ）を検知して、それらの機器４Ａ〜４Ｄを携帯端末の表示部１０に表示し、さらに、選択された１つの機器に関連付けられたデータタイプのデータを該機器に転送したり、再生させたりするので、携帯端末１で各機器４Ａ〜４Ｄを容易に利用することができる。
【００５０】
なお、上記実施の形態では、携帯端末１を充電台２に置くことで、各機器４Ａ〜４Ｄを利用できるようにしたが、充電台２に置く以外にコネクタ（図示せず）を接続することでも同様に各機器４Ａ〜４Ｄを利用することができる。
【００５１】
また、上記実施の形態では、各機器として、スピーカ、テレビ、ハードディスクレコーダ、パーソナルコンピュータを用いたが、これらの機器に限定されるものでなく、例えば、ラジオ、オーディオコンポ、プロジェクタ、エアコン、電子レンジなどの機器を用いることも可能である。
【産業上の利用可能性】
【００５２】
本発明は、充電台に置くだけで、電灯線に接続されていて電灯線通信が可能な全ての機器（スピーカ、テレビ、ハードディスクレコーダ、パーソナルコンピュータ等）を検知して、それらの機器を携帯端末の画面に表示し、さらに、選択された１つの機器に関連付けられたデータタイプのデータを該機器に転送したり、再生させたりできるといった効果を有し、電灯線に接続が可能であることと、電灯線を利用した電灯線通信を行える携帯端末への適用が可能である。
【図面の簡単な説明】
【００５３】
【図１】本発明の一実施の形態に係る携帯端末と、電灯線からの電力を携帯端末に与えるための充電台と、電灯線に接続されている複数の機器を示す斜視図
【図２】本発明の上記実施の形態に係る携帯端末の概略構成と、電灯線からの電力を携帯端末に与えるための充電台の概略構成と、電灯線に接続されている複数の機器を示すブロック図
【図３】本発明の上記実施の形態に係る携帯端末の正面図
【図４】本発明の上記実施の形態に係る携帯端末における機器とデータタイプの関連付けを示す図
【図５】本発明の上記実施の形態に係る携帯端末の機器制御処理の概要を説明するためのフロー図
【図６】本発明の上記実施の形態に係る携帯端末の機器制御処理の具体例であるスピーカを選択して音楽を再生する場合の機器制御処理を説明するためのフロー図
【図７】本発明の上記実施の形態に係る携帯端末の機器制御処理の具体例であるスピーカを選択して音楽を再生する場合の表示の遷移を示す図
【図８】本発明の上記実施の形態に係る携帯端末の機器制御処理の具体例であるパーソナルコンピュータを選択して電話帳データを転送する場合の機器制御処理を説明するためのフロー図
【図９】本発明の上記実施の形態に係る携帯端末の機器制御処理の具体例であるパーソナルコンピュータを選択して電話帳データを転送する場合の表示の遷移を示す図
【図１０】本発明の上記実施の形態に係る携帯端末の機器制御処理の具体例であるテレビを選択して動画を再生する場合の機器制御処理を説明するためのフロー図
【図１１】本発明の上記実施の形態に係る携帯端末の機器制御処理の具体例であるテレビを選択して動画を再生する場合の表示の遷移を示す図
【符号の説明】
【００５４】
１  携帯端末
２  充電台
３  電灯線
４Ａ  スピーカ
４Ｂ  テレビ
４Ｃ  ハードディスクレコーダ（ＨＤレコーダ）
４Ｄ  パーソナルコンピュータ（ＰＣ）
１０  表示部
１１  入力部
１２  充電部
１３  記憶部
１４  画像再生部
１５  音声再生部
１６、４０  ＰＬＣアダプタ
１７  制御部
【図１】
2009044531.tif 000003
【図２】
2009044531.tif 000004
【図３】
2009044531.tif 000005
【図４】
2009044531.tif 000006
【図５】
2009044531.tif 000007
【図６】
2009044531.tif 000008
【図７】
2009044531.tif 000009
【図８】
2009044531.tif 000010
【図９】
2009044531.tif 000011
【図１０】
2009044531.tif 000012
【図１１】
2009044531.tif 000013